(57)【要約】【課題】巻取り機構の弾性部材が変形することを防ぐ巻取り式保護カバーを提供する。【解決手段】巻取り式保護カバー２０は、筐体２１、巻取り機構２３及び防護体２５を備える。筐体２１は、長軸方向に沿って形成された切欠き２１２を有する。巻取り機構２３は、筐体２１に固定される軸棒２３１と、軸棒２３１上に可動自在に外嵌されて２つのスライドブロック２３２１を含む摺動部材２３２と、軸棒２３１に固定された一端と、摺動部材２３２に接続された他端とを有する。軸棒２３１に外嵌された弾性部材と、軸棒２３１、弾性部材及び摺動部材２３２に外嵌されるとともに、スライドブロック２３２１が摺動自在に配設される２つの案内溝２３４１が内表面の長軸方向に沿って形成された軸管２３４と、を有するとともに、筐体２１内に配設される。防護体２５は、軸管２３４上に巻き取られ、切欠き２１２を介して端部が延びる。【選択図】図７
0003188052.tif 000002
【実用新案登録請求の範囲】
【請求項１】
筐体、巻取り機構及び防護体を備えた巻取り式保護カバーであって、
前記筐体が、長軸方向に沿って形成された切欠きを有し、
前記巻取り機構が、前記筐体に固定される軸棒と、前記軸棒上に可動自在に外嵌されて２つのスライドブロックを含む摺動部材と、前記軸棒に固定された一端と、前記摺動部材に接続された他端とを有し、前記軸棒に外嵌された弾性部材と、前記軸棒、前記弾性部材及び前記摺動部材に外嵌されるとともに、前記スライドブロックが摺動自在に配設される２つの案内溝が内表面の長軸方向に沿って形成された軸管と、を有するとともに、前記筐体内に配設され、
前記防護体が、前記軸管上に巻き取られ、前記切欠きを介して端部が延びることを特徴とする巻取り式保護カバー。
【請求項２】
前記スライドブロックの表裏の関係にある２表面には、前記案内溝の壁面に対応して接触される球がそれぞれ配設されている請求項１に記載の巻取り式保護カバー。
【請求項３】
前記スライドブロックが、前記摺動部材の外表面に対称的に設けられ、
前記案内溝が、前記スライドブロックに対応するように、前記軸管の内表面にそれぞれ対称的に形成される請求項２に記載の巻取り式保護カバー。
【請求項４】
前記軸管の外表面には、長軸方向に沿って固定溝が形成され、
前記防護体の端部には、固定ロッドが含まれ、
前記固定ロッドが、前記固定溝中に着脱自在に係合される請求項１から３のいずれかに記載の巻取り式保護カバー。
【請求項５】
前記固定溝の開口部の幅が、前記固定溝の溝底の幅より小さい請求項４に記載の巻取り式保護カバー。
【考案の詳細な説明】
【技術分野】
【０００１】
本考案は、巻取り式保護カバーに関し、特に、巻取り機構の弾性部材が変形することを防ぐ巻取り式保護カバーに関する。
【背景技術】
【０００２】
部品の製造工程の多くでは、一般に各種加工装置を用いて加工部品の切削を行う必要がある。これら複数の加工装置を用いて切削・加工を行うと多くの切屑又は部品が発生するが、これら切屑又は部品は、元々の加工装置、加工装置の周りに不用意に落ちたり、近くにいる作業員に当たったりする虞があった。そのため加工する際に切屑又は部品が吹き飛ぶことを防ぐために、巻取り式保護カバーなど様々な形式の保護カバーが開発されている。
【０００３】
従来の巻取り式保護カバーは、ハウジング、巻取り機構及び防護体を含む。巻取り機構は、中空状のハウジング内に設置される。防護体は、巻取り機構の外側面に固設される。ハウジングから防護体が繰り出される際、巻取り機構中の弾性部材が力を受けて捩じれると、弾性部材が変形して防護体をスムーズに引っ張り出したり巻き戻したりすることができなくなる虞がある。
【０００４】
巻取り機構の弾性部材が容易に変形する問題点を改善するために、図１に示すような巻取り機構１０が開発されている。巻取り機構１０は、軸棒１１、弾性部材１２、軸受１３、軸管１４及びガイド部材１５を含む。弾性部材１２及び軸受１３は、軸棒１１上に外嵌される。弾性部材１２は、一端が軸棒１１に固定され、他端にリング（図示せず）が形成され、ガイド部材１５により軸受１３に位置決めされる。軸管１４は、軸棒１１、弾性部材１２及び軸受１３に外嵌される。図１は、軸管１４内の部品を示す部分断面斜視図である。軸管１４には、ガイド部材１５が摺動するガイド孔１４１が形成され、防護体（図示せず）を伸張させる際、ガイド孔１４１をガイド部材１５が摺動して弾性部材１２が伸張することにより、弾性部材１２が過度に捻れて変形することを防ぐ。しかし、巻取り機構１０は、ガイド部材１５を利用して軸受１３に弾性部材１２を固定し、突出したガイド部材１５が軸管１４のガイド孔１４１中で摺動して弾性部材１２を引っ張るため、組み立てが非常に不便である。ガイド部材１５は、軸管１４から露出されているため、摺動過程で緩んだり外れたりする問題が発生し易かった。
【０００５】
また、従来の巻取り式保護カバーの防護体は、巻取り機構の外側面に直接固定されていたため、防護体又は巻取り機構が損壊してしまった場合に、防護体及び巻取り機構を一緒に外さなければならずコストが多くかかった。
【０００６】
そのため、従来の問題点を改善する巻取り式保護カバーが求められていた。
【考案の概要】
【考案が解決しようとする課題】
【０００７】
本考案の目的は、弾性部材が捻れて変形したり損壊したりすることを防ぐ巻取り式保護カバーを提供することにある。
本考案のもう一つの目的は、巻取り機構から防護体を容易に着脱させることができるため、メンテナンス及び交換を容易に行うことができる巻取り式保護カバーを提供することにある。
【課題を解決するための手段】
【０００８】
上記課題を解決するために、本考案の第１の形態によれば、筐体、巻取り機構及び防護体を備えた巻取り式保護カバーであって、前記筐体は、長軸方向に沿って形成された切欠きを有し、前記巻取り機構は、前記筐体に固定される軸棒と、前記軸棒上に可動自在に外嵌されて２つのスライドブロックを含む摺動部材と、前記軸棒に固定された一端と、前記摺動部材に接続された他端とを有し、前記軸棒に外嵌された弾性部材と、前記軸棒、前記弾性部材及び前記摺動部材に外嵌されるとともに、前記スライドブロックが摺動自在に配設される２つの案内溝が内表面の長軸方向に沿って形成された軸管と、を有するとともに、前記筐体内に配設され、前記防護体は、前記軸管上に巻き取られ、前記切欠きを介して端部が延びる巻取り式保護カバーが提供される。
【０００９】
前記スライドブロックの表裏の関係にある２表面には、前記案内溝の壁面に対応して接触される球がそれぞれ配設されていることが好ましい。
【００１０】
前記スライドブロックは、前記摺動部材の外表面に対称的に設けられ、前記案内溝は、前記スライドブロックに対応するように、前記軸管の内表面にそれぞれ対称的に形成されることが好ましい。
【００１１】
前記軸管の外表面には、長軸方向に沿って固定溝が形成され、前記防護体の端部には、固定ロッドが含まれ、前記固定ロッドは、前記固定溝中に着脱自在に係合されることが好ましい。
【００１２】
前記固定溝の開口部の幅は、前記固定溝の溝底の幅より小さいことが好ましい。
【考案の効果】
【００１３】
本考案の巻取り式保護カバーは、軸管の内表面に形成された案内溝に摺動部材のスライドブロックを摺動自在に設置することにより、弾性部材の伸びを案内して捻れて変形することを防ぐことができる上、損壊することを防ぐことができる。また、軸管の外表面に固定溝を形成し、防護体の端部に固定ロッドを配設し、固定ロッドが固定溝中に着脱自在に係合され、防護体と巻取り機構との分離及び組み立てを容易に行い、交換及びメンテナンスを容易に行うことができる。
【図面の簡単な説明】
【００１４】
【図１】図１は、従来の巻取り式保護カバーの巻取り機構の内部を示す部分断面斜視図である。
【図２】図２は、本考案の一実施形態に係る巻取り式保護カバーを示す分解斜視図である。
【図３】図３は、本考案の一実施形態に係る巻取り式保護カバーの組み立てが完成したときの状態を示す斜視図である。
【図４】図４は、本考案の一実施形態に係る巻取り式保護カバーの巻取り機構及び防護体を示す分解斜視図である。
【図５】図５は、本考案の一実施形態に係る巻取り式保護カバーの巻取り機構及び防護体を示す部分断面斜視図である。
【図６】図６は、本考案の一実施形態に係る巻取り式保護カバーの巻取り機構及び防護体を示す部分断面斜視図である。
【図７】図７は、本考案の一実施形態に係る巻取り式保護カバーを示す断面図である。
【考案を実施するための形態】
【００１５】
以下、本考案の実施形態について図に基づいて説明する。なお、これによって本考案が限定されるものではない。
【００１６】
図２〜図５を参照する。図２は、本考案の一実施形態に係る巻取り式保護カバーを示す分解斜視図である。図３は、本考案の一実施形態に係る巻取り式保護カバーの組み立てが完成したときの状態を示す斜視図である。図４は、本考案の一実施形態に係る巻取り式保護カバーの巻取り機構及び防護体を示す分解斜視図である。図５は、本考案の一実施形態に係る巻取り式保護カバーの巻取り機構及び防護体を示す部分断面斜視図である。図２〜図５に示すように、本考案の一実施形態に係る巻取り式保護カバー２０は、少なくとも筐体２１、巻取り機構２３及び防護体２５から構成される。
【００１７】
筐体２１には長軸方向に沿って切欠き２１２が形成されている。
【００１８】
巻取り機構２３は、筐体２１内に配設される。巻取り機構２３は、軸棒２３１、摺動部材２３２、弾性部材２３３及び軸管２３４を含む。軸棒２３１は、筐体２１上に固定される。摺動部材２３２は、軸棒２３１上に可動自在に嵌合される上、２つのスライドブロック２３２１を含む。複数のスライドブロック２３２１は、摺動部材２３２の外表面から突出されている。摺動部材２３２は、軸棒２３１に対して摺動する。弾性部材２３３は、軸棒２３１に外嵌される。弾性部材２３３は、一端が軸棒２３１に固定され、他端に摺動部材２３２が接続される。もし摺動部材２３２が弾性部材２３３の固定部から離れる方向へ摺動すると、弾性部材２３３が伸びる。もし摺動部材２３２が弾性部材２３３の固定箇所に向かって摺動すると、弾性部材２３３が摺動部材２３２により押圧されて収縮する。軸棒２３１、弾性部材２３３及び摺動部材２３２には、軸管２３４が外嵌されている。軸管２３４の内表面には、長軸方向に沿って２つの案内溝２３４１が形成されている。スライドブロック２３２１は、摺動自在に案内溝２３４１中にそれぞれ設置され、摺動部材２３２は、スライドブロック２３２１を介して案内溝２３４１中で摺動する。
【００１９】
防護体２５は、軸管２３４上に巻き取られ、防護体２５の一端が切欠き２１２から延びる。
【００２０】
筐体２１の両端には２つの支持フレーム２１１が含まれる。軸棒２３１は、支持フレーム２１１に固定されて筐体２１内で吊り下げられ、筐体２１から防護体２５をスムーズに繰り出したり、筐体２１中で巻き取ったりする。また、軸管２３４の両端は、２つの軸受２３４２を介して軸棒２３１に回転自在に設置されている。即ち、軸管２３４は、軸棒２３１に対して回転自在である。
【００２１】
本実施形態の弾性部材２３３の一端は、固定ブロック２３３１上に螺着される。固定ブロック２３３１は、軸棒２３１上に固定されている。弾性部材２３３は、一端が軸棒２３１上に固定され、他端が摺動部材２３２上に螺着されている。即ち、弾性部材２３３の他端は、摺動部材２３２の摺動に伴って変位する。
【００２２】
図５〜図７を参照する。図５〜図７に示すように、機械加工により発生した切屑又は部品を防護体２５により遮る際は、切欠き２１２を介して防護体２５の一端が筐体２１の内部から繰り出されると、巻取り機構２３中で防護体２５に固定された軸管２３４が防護体２５が繰り出されるに従って回転する。弾性部材２３３の一端は、軸管２３４の案内溝２３４１を介し、摺動部材２３２のスライドブロック２３２１の回転に伴って回転する。弾性部材２３３の一端は、軸棒２３１上に固定されて移動することがない上、これら複数のスライドブロック２３２１が案内溝２３４１により案内されて回転すると同時に、これら複数のスライドブロック２３２１が案内溝２３４１に沿って横方向へ摺動し、弾性部材２３３が案内されて伸張し、弾性部材２３３の捻りを弱め、弾性部材２３３の捻りレベルが大きすぎて変形することを防ぐことができる。図５及び図６は、軸管２３４の内部部品を示す部分断面斜視図である。
【００２３】
防護体２５を使用する必要がなくなると、巻取り機構２３の弾性部材２３３は、それ自体が備える弾性回復力を利用し、伸張前の状態に回復されるとともに、摺動部材２３２のスライドブロック２３２１により軸管２３４を回転させ、防護体２５を軸管２３４の外表面へ巻き付け、軸管２３４の回転と同時にこれら複数のスライドブロック２３２１が案内溝２３４１に沿って横方向へ摺動し、弾性部材２３３が案内されて収縮して伸張前の状態に回復し、弾性部材２３３が不用意に捻れて変形することを防ぐことができる。
【００２４】
本実施形態の巻取り式保護カバーは、摺動部材２３２のスライドブロック２３２１が軸管２３４の案内溝２３４１中を安定的に摺動するため、弾性部材２３３が捻れて変形することを防ぎ、摺動部材２３２のスライドブロック２３２１が軸管２３４の案内溝２３４１から外れてしまうことを防ぎ、巻取り式保護カバー２０を使用する際の安定性及び品質を向上させることができる。
【００２５】
また、本実施形態の各スライドブロック２３２１の表裏の関係にある２表面には、球２３２２がそれぞれ設置されている。これら複数の球２３２２は、案内溝２３４１の壁面に対応するように接触されている。即ち、これら複数のスライドブロック２３２１が、複数の案内溝２３４１内で摺動すると、複数のスライドブロック２３２１は、案内溝２３４１の壁面に接触される球２３２２を利用し、スライドブロック２３２１を案内溝２３４１に対して摺動させると、球２３２２が案内溝２３４１の壁面に沿って転がり、スライドブロック２３２１と案内溝２３４１との間に生じる摩擦が減り、案内溝２３４１中でスライドブロック２３２１が摺動し、軸管２３４に固定された防護体２５の繰り出し及び巻取りをスムーズに行うことができる。
【００２６】
本実施形態のスライドブロック２３２１は、摺動部材２３２の外表面に対称的に設けられる。複数の案内溝２３４１は、複数のスライドブロック２３２１が対応するように軸管２３４の内表面に対称的に形成され、この構成により防護体２５が伸ばされる際、軸管２３４の案内溝２３４１により、スライドブロック２３２１を介して摺動部材２３２及び弾性部材２３３の端部が均一かつ安定的に案内されて摺動する。防護体２５が巻き取られる際、弾性部材２３３は、均一かつ安定的にスライドブロック２３２１により軸管２３４を回転させ、案内溝２３４１中でスライドブロック２３２１を安定的に摺動させることができる。
【００２７】
本実施形態の軸管２３４の外表面には、長軸方向に沿って固定溝２３４３が形成されている。防護体２５の端部には固定ロッド２５１が含まれる。この固定ロッド２５１は、固定溝２３４３中に着脱自在に係合されているため、巻取り機構２３から防護体２５を分離したり組み合わせたりして交換又はメンテナンスを容易に行うことができる。さらに詳細には、固定溝２３４３の開口部の幅が固定溝２３４３の溝底の幅より小さく、固定ロッド２５１が固定溝２３４３の溝底に係合されて外れにくいが、巻取り機構２３から防護体２５を外す際、固定溝２３４３の開口部に適宜な力を加え、適宜な弾性を有する固定溝２３４３の開口部を変形させて一時的に押し広げ、固定ロッド２５１を移動させると防護体２５を外すことができる。反対に、防護体２５を巻取り機構２３の軸管２３４へ取り付けるときは、固定溝２３４３の開口部へ適宜力を加えて固定溝２３４３の開口部を弾性変形させて一時的に押し広げ、固定ロッド２５１を固定溝２３４３中へ挿入した後に固定溝２３４３の開口部をリリースすると、固定溝２３４３中へ固定ロッド２５１を係合させることができる。
【００２８】
上述したことから分かるように、本考案の巻取り式保護カバーは、軸管の内表面に形成された案内溝に摺動部材のスライドブロックを摺動自在に設置することにより、弾性部材の伸びを案内しながら捻れて変形することを防ぐことができる上、損壊することも防ぐことができる。軸管の外表面に固定溝を形成し、防護体の端部に固定ロッドが配設され、固定ロッドが固定溝中に着脱自在に係合されているため、巻取り機構と防護体との分離又は組立てを容易に行うことができるため、交換及びメンテナンスを容易に行うことができる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１０      巻取り機構
１１      軸棒
１２      弾性部材
１３      軸受
１４      軸管
１５      ガイド部材
２０      巻取り式保護カバー
２１      筐体
２３      巻取り機構
２５      防護体
１４１      ガイド孔
２１１      支持フレーム
２１２      切欠き
２３１      軸棒
２３２      摺動部材
２３３      弾性部材
２３４      軸管
２５１      固定ロッド
２３２１      スライドブロック
２３２２      球
２３３１      固定ブロック
２３４１      案内溝
２３４２      軸受
２３４３      固定溝
【図１】
0003188052.tif 000003
【図２】
0003188052.tif 000004
【図３】
0003188052.tif 000005
【図４】
0003188052.tif 000006
【図５】
0003188052.tif 000007
【図６】
0003188052.tif 000008
【図７】
0003188052.tif 000009